【手続補正書】
【提出日】平成20年12月10日(2008.12.10)
【手続補正１】
【補正対象書類名】特許請求の範囲
【補正対象項目名】全文
【補正方法】変更
【補正の内容】
【特許請求の範囲】
【請求項１】
シート物のための通路（３）と、
この通路におけるシート物の面から、参照フレーム（Ｆ２）との位置関係の範囲内に存在するとともにこの範囲が前記通路におけるシート物の配置（θ，ａ）に左右されるものである標本採取フレーム（Ｆ１）の中に構成されている空間的データ標本列に対応するデータを得るためのセンサー（１６，１７，１８）と、
参照フレームと感知されたデータについての標本採取フレームとの関係を決定するためにそのデータを処理するように作動することができるとともに、参照フレームの中におけるデータに対応させるように、標本採取フレームからの感知ずみデータの所定領域を変換し、かつ、変換されたデータと、前記参照フレームの中におけるシート物についての受入可能性基準を規定する、参照フレームの中における前記所定領域に対応する参照データとの比較を行うように作動することができる処理手段（２２，２３）と、
前記比較の結果に応じてシート物を受け入れるための受入手段（２４，５）と
を備えてなるシート物受入装置。
【請求項２】
センサーは、シート物からの複数のデータ標本列を標本採取するように構成された検出器列（１９）からなっている、請求項１に記載の装置。
【請求項３】
シート物のための引入口を含んでおり、前記通路（３）は、この引入口（２）から感知用ステーションを通って延びていて、シート物が感知用ステーションを通過すると、前記センサーがシート物から複数のデータ標本列を標本採取するように作動することができる、請求項２に記載の装置。
【請求項４】
処理手段は、参照フレームの中における対応箇所に対して、標本採取フレームの中における標本採取データ列の中で所定箇所を認識するように作動することができる、請求項１〜３のいずれか１つに記載の装置。
【請求項５】
ほぼ対称的な四辺形周縁が備わったシート物を受け入れるように作動することができ、また、前記の認識された箇所は、シート物の隅部（４８）に対応している、請求項４に記載の装置。
【請求項６】
処理手段は、参照フレームに対する標本採取フレームの中における標本採取データ列の方位（θ）を認識するように作動することができる、請求項１〜５のいずれか１つに記載の装置。
【請求項７】
前記方位は、前記データ標本列の縁部領域の解析によって認識される、請求項６に記載の装置。
【請求項８】
処理手段は、前記の認識された箇所および／または前記の認識された方位を使用して、前記標本採取データを参照フレームの中へ変換するように作動することができる、請求項４〜７のいずれか１つに記載の装置。
【請求項９】
センサーは、光学センサーである、請求項１〜８のいずれか１つに記載の装置。
【請求項１０】
シート物を介して前記センサーへ光学的放射線を透過させる光源（１５）を含んでいる、請求項９に記載の装置。
【請求項１１】
シート物から前記センサーへ反射される光学的放射線を透過させる光源（３９，４０，４１）を含んでいる、請求項９に記載の装置。
【請求項１２】
光学的放射線をシート物から前記センサーへ導くためのテレセントリックレンズ装置（４２−１）を含んでいる、請求項９〜１１のいずれか１つに記載の装置。
【請求項１３】
センサーは、空間的センサー素子列からなっている、請求項１〜１２のいずれか１つに記載の装置。
【請求項１４】
前記標本データは、前記列の中におけるいくつかのセンサー素子だけから得られる、請求項１３に記載の装置。
【請求項１５】
処理手段は、
感知されたシート物についての特定金種の初期決定を行い、次いで、この決定の結果に基づいて、
前記特定金種のシート物における所定箇所に対応する参照フレームの中における保存情報と、前記所定箇所についての保存された参照データ値とを取得し、
シート物についての感知されたデータを標本フレームから前記所定箇所についての参照フレームへ変換し、さらに、
感知されたシート物の真正性を決定するために、変換されたデータを前記の保存された参照データ値と比較する
ように作動することができる、請求項１〜１４のいずれか１つに記載の装置。
【請求項１６】
処理手段は、前記データ標本による走査を実行して、シート物の縁部に対応する箇所を認識し、次いで、シート物の認識された箇所に基づいて標本フレームと参照フレームとの空間的関係を決定するように作動することができる、請求項１〜１５のいずれか１つに記載の装置。
【請求項１７】
処理手段は、シート物の周辺の内部における近似中間箇所（Ｍ）を認識し、この近似中間箇所から外方へ延びている走査線（ＲＬ）とシート物の縁部に対応する反転箇所とを画定し、次いで、シート物の縁部に対応する箇所を認識するために前記走査線に沿ってデータ標本を走査するように作動することができる、請求項１６に記載の装置。
【請求項１８】
前記中間箇所は、前記参照フレームの中におけるデータ標本列の中点に対応している、請求項１７に記載の装置。
【請求項１９】
処理手段は、縁点について、シート物の縁部の傾きに対応するデータをもたらすように作動することができる、請求項１６、１７または１８に記載の装置。
【請求項２０】
処理手段は、前記傾斜データに基づいてシート物の特定縁部に対応するように、認識された縁点をグループ化するように作動することができる、請求項１９に記載の装置。
【請求項２１】
処理手段は、標本採取されたシート物の縁部を画定するために、縁点によって縁線を適合させるように作動することができる、請求項１７〜２０のいずれか１つに記載の装置。
【請求項２２】
処理手段は、前記縁線が参照フレームの中におけるシート物の縁部の箇所を認識するように横断する演算を行うように作動することができる、請求項２１に記載の装置。
【請求項２３】
前記比較の結果に関係なくシート物を受け入れるために、受入装置を選択的に作動させるオーバーライド制御を含んでいる、請求項１〜２２のいずれか１つに記載の装置。
【請求項２４】
通路におけるシート物を受け、
シート物の面から、参照フレームとの位置関係の範囲内に存在するとともにこの範囲が前記通路におけるシート物の配置（θ，ａ）に左右されるものである標本採取フレームの中に構成されている空間的データ標本列に対応するデータを得て、
参照フレームと感知されたデータについての標本採取フレームとの関係を決定するために、かつ、参照フレームの中におけるデータに対応させるように、標本採取フレームからの感知ずみデータの中における少なくとも所定箇所を変換するために、かつ、変換されたデータと、前記参照フレームの中におけるシート物の所定箇所についての受入可能性基準に対応する参照データとの比較を行うために、そのデータを処理し、
前記比較の結果に応じてシート物を受け入れる
ことからなる、シート物を受け入れる方法。
【請求項２５】
シート物を機械式ガイドに事前配置することなく前記の標本採取データを得ることを含んでいる、請求項２４に記載の方法。
【請求項２６】
請求項２４または２５に記載された方法を実行するために処理装置によって作動することのできるコンピュータプログラム。
【請求項２７】
処理装置と、既知の金種の参照シート物の面から前記空間的データ標本列を受けるとともにその可視的表示をもたらすように構成された表示装置と、ユーザーが前記データ標本列の中における少なくとも１つの選択箇所を画定することのできるユーザーインターフェイスとを備え、前記処理装置は、前記選択箇所に対応するデータと前記箇所からの標本に対応するデータとシート物の金種に対応するデータとからなる、この受入装置の中に保存するためのデータ組をもたらすように作動することができる、請求項１〜２２のいずれか１つに記載された装置。
【請求項２８】
既知の金種の参照シート物の面から前記空間的データ標本列を受け、
その可視的表示をもたらし、
前記データ標本列の中における少なくとも１つの選択箇所を画定し、さらに
前記選択箇所に対応するデータと前記箇所からの標本に対応するデータとシート物の金種に対応するデータとからなる、この受入装置の中に保存するためのデータ組をもたらすことからなる、請求項１〜２２のいずれか１つに記載されたシート物受入装置を選択的にプログラムする方法。
【請求項２９】
請求項２８に記載された方法を実行するために処理装置によって実行されるコンピュータプログラム。